(57)【要約】【課題】機種及び使用環境に適した機器設定を効率よく取得して記憶する。【解決手段】当該画像形成装置における設定項目と当該設定項目に対する設定値との組み合わせである機器設定を記憶する機器設定記憶部と、当該画像形成装置とネットワークを介して接続されている他の画像形成装置のうち、当該画像形成装置の機種及び使用環境に適合する機器設定を記憶している画像形成装置を検索する機器検索部と、機器検索部で検索された他の画像形成装置に対して当該他の画像形成装置に記憶されている機器設定の送信を要求する機器設定送信要求部と、機器設定送信要求部からの要求に応じて他の画像形成装置から送信された機器設定を受信する機器設定受信部と、機器設定受信部で受信された他の画像形成装置からの機器設定を機器設定記憶部に記憶する機器設定制御部と、を備えている。【選択図】図４
2012158046.tif 000002
【特許請求の範囲】
【請求項１】
当該画像形成装置における設定項目と当該設定項目に対する設定値との組み合わせである機器設定を記憶する機器設定記憶部と、
当該画像形成装置とネットワークを介して接続されている他の画像形成装置のうち、当該画像形成装置の機種及び使用環境に適合する機器設定を記憶している画像形成装置を検索する機器検索部と、
前記機器検索部で検索された前記他の画像形成装置に対して当該他の画像形成装置に記憶されている機器設定の送信を要求する機器設定送信要求部と、
前記機器設定送信要求部からの前記要求に応じて前記他の画像形成装置から送信された機器設定を受信する機器設定受信部と、
前記機器設定受信部で受信された前記他の画像形成装置からの機器設定を前記機器設定記憶部に記憶する機器設定制御部と、
を備えている画像形成装置。
【請求項２】
前記他の画像形成装置から前記機器設定記憶部に記憶されている機器設定の送信要求を受信する送信要求受信部と、
前記送信要求受信部によって前記送信要求が受信されると、前記機器設定記憶部に記憶されている機器設定を当該送信要求元の前記画像形成装置に送信する機器設定送信部と、
を備えている請求項１に記載の画像形成装置。
【請求項３】
前記送信要求受信部によって前記送信要求が受信されると、前記機器設定送信部による機器設定の送信前に、ユーザから当該送信を許可するか否かの指定を受け付ける送信許否受付部と、
前記送信許否受付部によって前記送信の許可が受け付けられると、前記機器設定送信部に機器設定を送信させ、前記送信許否受付部によって前記送信の許可が受け付けられないときは、前記機器設定送信部に機器設定を送信させない送信制御部と、
を更に備える請求項２に記載の画像形成装置。
【請求項４】
前記機器設定制御部は、前記機器設定受信部で受信された前記他の画像形成装置から送信された機器設定であって、予め定められた設定項目を示す機器設定のみを、当該画像形成装置における前記機器設定記憶部に記憶する請求項１から３の何れかに記載の画像形成装置。
【請求項５】
ユーザから設定値の条件の入力を受け付ける設定条件受付部を更に備え、
前記機器設定制御部は、前記機器検索部で検索された前記他の画像形成装置が複数存在する場合に、前記機器設定受信部で受信された前記複数の他の画像形成装置からの機器設定に含まれる各設定項目に対して複数存在する設定値のうち、前記設定条件受付部で受け付けられた前記設定値の条件に関連する設定値を、前記機器設定記憶部に記憶する請求項１から４の何れかに記載の画像形成装置。
【請求項６】
前記機器設定制御部は、前記機器検索部で検索された前記他の画像形成装置が複数存在する場合に、前記機器設定受信部で受信された前記複数の他の画像形成装置からの機器設定に含まれる各設定項目に対して複数存在する設定値のうち、設定項目毎に予め定められた設定値の条件に適合する設定値を、前記機器設定記憶部に記憶する請求項１から４の何れかに記載の画像形成装置。
【請求項７】
前記設定項目毎に予め定められた設定値の条件は、設定値が最大値であるもの、設定値が最小値であるもの、設定値が平均値であるもの、又は、設定値が最も多くの数の前記複数の他の画像形成装置に同一値が設定されている設定値であるもの、のうちの何れかである請求項６に記載の画像形成装置。
【発明の詳細な説明】
【技術分野】
【０００１】
本発明は、画像形成装置の機器設定を行う技術に関する。
【背景技術】
【０００２】
従来から、パーソナルコンピュータ等の情報機器では、下記特許文献１に示すように、複数の機器が互いにネットワークに接続されたシステムが構成され、当該システムに新たに追加される機器からの要求に対してその機器を運用するために必要な情報を既存の機器から取り出して返送する技術が採用されている。
【０００３】
そこで、例えばプリンタや複写機等の画像形成装置に上記技術を適用することによって、新たにシステムに追加された画像形成装置は、画像形成装置を運用するために必要な情報として、例えば、現在日時や表示パネルに表示する言語や消費電力を低減する省エネモードに以降するまでの待機時間を示す省エネタイマー等の画像形成装置の機器全体に関わる設定情報や、出力用紙サイズやＦＡＸ通信のリダイアル回数等の画像形成装置で実行可能な各種機能別の設定情報等を含む情報（機器設定）を他の画像形成装置に要求して、当該他の画像形成装置から返送された機器設定を取得することができるものと考えられる。
【先行技術文献】
【特許文献】
【０００４】
【特許文献１】特開２００４−１９２３５１号公報
【発明の概要】
【発明が解決しようとする課題】
【０００５】
しかしながら、画像形成装置に上記技術を適用した場合であっても、一般的に企業内では複数機種の画像形成装置が混在していることが多く、取得対象の機器設定は多様であるため、他の画像形成装置から取得可能な多様な機器設定の中から、新たにシステムに追加する画像形成装置の機種に適した機器設定を取得して記憶する手間が必要であった。
【０００６】
また、例えば、定期的な会議のための資料をプリントする際に出力部数の設定が部署の所属人数に応じて異なる等、画像形成装置の使用環境によっても頻度高く利用される機器設定は異なるため、他の画像形成装置から取得可能な多様な機器設定の中から、新たにシステムに追加する画像形成装置の使用環境に適した機器設定を取得して記憶する手間が必要であった。
【０００７】
そこで、本発明は、このような事情に鑑みてなされたものであり、画像形成装置の機種及び使用環境に適した機器設定を効率よく取得して記憶することができる画像形成装置を提供することを目的とする。
【課題を解決するための手段】
【０００８】
請求項１に記載の発明は、当該画像形成装置における設定項目と当該設定項目に対する設定値との組み合わせである機器設定を記憶する機器設定記憶部と、
当該画像形成装置とネットワークを介して接続されている他の画像形成装置のうち、当該画像形成装置の機種及び使用環境に適合する機器設定を記憶している画像形成装置を検索する機器検索部と、
前記機器検索部で検索された前記他の画像形成装置に対して当該他の画像形成装置に記憶されている機器設定の送信を要求する機器設定送信要求部と、
前記機器設定送信要求部からの前記要求に応じて前記他の画像形成装置から送信された機器設定を受信する機器設定受信部と、
前記機器設定受信部で受信された前記他の画像形成装置からの機器設定を前記機器設定記憶部に記憶する機器設定制御部と、
を備えている画像形成装置である。
【０００９】
この発明では、当該画像形成装置の機種及び使用環境に適合する他の画像形成装置から、当該画像形成装置における機能設定として記憶される機能設定が取得されるため、当該画像形成装置の機種及び使用環境に適した機器設定を効率よく取得して記憶することができる。
【００１０】
また、請求項２に記載の発明は、請求項１に記載の画像形成装置であって、前記他の画像形成装置から前記機器設定記憶部に記憶されている機器設定の送信要求を受信する送信要求受信部と、
前記送信要求受信部によって前記送信要求が受信されると、前記機器設定記憶部に記憶されている機器設定を当該送信要求元の前記画像形成装置に送信する機器設定送信部と、
を備えている。
【００１１】
この発明では、他の画像形成装置からの送信要求に応じて、機器設定記憶部に記憶されている機器設定を送信することができる。
【００１２】
また、請求項３に記載の発明は、請求項２に記載の画像形成装置であって、前記送信要求受信部によって前記送信要求が受信されると、前記機器設定送信部による機器設定の送信前に、ユーザから当該送信を許可するか否かの指定を受け付ける送信許否受付部と、
前記送信許否受付部によって前記送信の許可が受け付けられると、前記機器設定送信部に機器設定を送信させ、前記送信許否受付部によって前記送信の許可が受け付けられないときは、前記機器設定送信部に機器設定を送信させない送信制御部と、
を更に備える。
【００１３】
この発明では、機器設定記憶部に記憶されている機器設定が不用意に取得されることを回避することできる。
【００１４】
また、請求項４に記載の発明は、請求項１から３の何れかに記載の画像形成装置であって、前記機器設定制御部は、前記機器設定受信部で受信された前記他の画像形成装置から送信された機器設定であって、予め定められた設定項目を示す機器設定のみを、当該画像形成装置における前記機器設定記憶部に記憶する。
【００１５】
この発明では、機器設定受信部で受信された機器設定であって、当該画像形成装置に記憶する機器設定を予め定められた設定項目に制限することができ、既存の全ての機器設定を無作為に更新して記憶することを回避することができる。
【００１６】
また、請求項５に記載の発明は、請求項１から４の何れかに記載の画像形成装置であって、ユーザから設定値の条件の入力を受け付ける設定条件受付部を更に備え、
前記機器設定制御部は、前記機器検索部で検索された前記他の画像形成装置が複数存在する場合に、前記機器設定受信部で受信された前記複数の他の画像形成装置からの機器設定に含まれる各設定項目に対して複数存在する設定値のうち、前記設定条件受付部で受け付けられた前記設定値の条件に関連する設定値を、前記機器設定記憶部に記憶する。
【００１７】
この発明では、複数の他の画像形成装置からの機器設定に含まれる各設定項目に対して複数存在する設定値のうち、ユーザによって入力された設定値の条件に関連する設定値を機器設定記憶部に記憶するため、ユーザの意図を加味した機器設定を当該画像形成装置に反映することができる。
【００１８】
また、請求項６に記載の発明は、請求項１から４の何れかに記載の画像形成装置であって、前記機器設定制御部は、前記機器検索部で検索された前記他の画像形成装置が複数存在する場合に、前記機器設定受信部で受信された前記複数の他の画像形成装置からの機器設定に含まれる各設定項目に対して複数存在する設定値のうち、設定項目毎に予め定められた設定値の条件に適合する設定値を、前記機器設定記憶部に記憶する。
【００１９】
この発明では、複数の他の画像形成装置からの機器設定に含まれる各設定項目に対して複数存在する設定値のうち、設定項目毎に予め定められた設定値の条件に適合する設定値に制限して機器設定記憶部に記憶することができ、予め定められた設定値の条件に適合しない設定値で無作為に既存の設定値を更新して記憶することを回避することができる。
【００２０】
また、請求項７に記載の発明は、請求項６に記載の画像形成装置であって、前記設定項目毎に予め定められた設定値の条件は、設定値が最大値であるもの、設定値が最小値であるもの、設定値が平均値であるもの、又は、設定値が最も多くの数の前記複数の他の画像形成装置に同一値が設定されている設定値であるもの、のうちの何れかである。
【００２１】
この発明では、複数の他の画像形成装置からの機器設定に含まれる各設定項目に対して複数存在する設定値の範囲内で設定値を制限して機器設定記憶部に記憶することができ、当該複数の他の画像形成装置の既存の機器設定を加味した機器設定を当該画像形成装置に反映することができる。
【発明の効果】
【００２２】
本発明によれば、画像形成装置の機種及び使用環境に適した機器設定を効率よく取得して記憶することができる画像形成装置を提供することが可能になる。
【図面の簡単な説明】
【００２３】
【図１】本発明に係る画像形成装置が接続されるネットワークのネットワーク構成を示す説明図である。
【図２】画像形成装置の内部構成の概略を示すブロック図である。
【図３】各種機器設定の具体例を示す説明図である。
【図４】各種機器設定を記憶する動作を示すフローチャートである。
【図５】制御ユニットを拡張した場合の一例を示すブロック図である。
【図６】制御ユニットを拡張した場合における機器設定を記憶する動作を示すフローチャートである。
【発明を実施するための形態】
【００２４】
以下、本発明の一実施形態に係る画像形成装置の実施形態について図面を参照して説明する。図１に示すように、ＬＡＮ（Ｌｏｃａｌ  Ａｒｅａ  Ｎｅｔｗｏｒｋ）等のネットワークには、複数の画像形成装置１、サーバ２、及びクライアントコンピュータ３が接続され、互いに各種データの送受信が可能に接続されている。尚、図１に示すネットワークに接続されている画像形成装置１、サーバ２、及び、クライアントコンピュータ３の台数は例示に過ぎず、これに制限する趣旨ではない。
【００２５】
以下では、画像形成装置１は、コピー機能、ファクシミリ機能、プリンタ機能、スキャナ機能等の機能を兼ね備えた複合機であるものとして説明するが、これに制限する趣旨ではなく、コピー機、ファクシミリ機、プリンタ、スキャナ等の画像形成装置であってもよい。
【００２６】
複合機１は、スキャナ等からなる画像読取部で読み取った原稿のデータを、複合機１の内部記憶装置や、ネットワークに接続されたサーバ２、各クライアントコンピュータ（以下、ＰＣ）３内の記憶部等に格納する。
【００２７】
また、複合機１は、複合機１の内部記憶装置に記憶されているデータのプリントアウトや、サーバ２やＰＣ３から送られてきたデータのプリントアウト等を行う。そして、複合機１は、サーバ２、各ＰＣ３から送信されてくるジョブを受信し、当該ジョブを実行する機能を有している。
【００２８】
図２に示すように、複合機１は、装置の各部の動作を制御する制御ユニット１００と、原稿画像を読み取るスキャナ等を有する画像読取部１１０と、画像読取部１１０によって読み取られた原稿のデータ等を一時的に記憶する、及び、印刷対象となるデータを一時的に保存する領域となる画像メモリ１２０と、画像読取部１１０によって読み取られた原稿のデータや、サーバ２から送信されてきたデータ等を印刷する印刷部１３０と、を備えている。
【００２９】
また、複合機１は、ファクシミリ通信に必要な各機能を実行し、公衆回線を通じて外部のファクシミリ装置から画像データを受信するファクシミリ通信部１４０と、印刷又は送信スタートキー、テンキー及び短縮番号キー等からなり、ジョブを構成する複数の機能の組み合わせと当該各機能に対する設定値の組み合わせの設定入力等、各種操作指示の入力を受け付ける操作部１８０と、各種データの内容を表示するための確認画面や、ジョブを設定入力するための設定画面や、ユーザへの操作案内等を表示するＬＣＤ等からなる表示部１５０とを備える。尚、この表示部１５０がタッチパネル機能を備えることにより、ユーザからの各種操作指示の入力を受け付けるように構成してもよい。
【００３０】
更に、複合機１は、サーバ２、ＰＣ３との間で互いに各種データを送受信するために用いられるネットワークＩ／Ｆ１６０と、画像読取部１１０が読み取った画像イメージデータ編集／加工（符／復号処理、拡大／縮小処理、圧縮／伸長処理）処理等を行う画像処理部１９０と、画像読取部１１０によって読み取られた原稿画像データ等を記憶する大容量の記憶領域を有するＨＤＤ（ハードディスク）１７０と、を備えている。このＨＤＤ１７０は、画像読取部１１０によって読み取られた原稿画像データや、サーバ２又はＰＣ３から送信されてきたデータを蓄積する。
【００３１】
制御ユニット１００は、各種動作プログラムや複合機１の各種機器設定を記憶するフラッシュメモリ、データを一時的に保管する機能や作業領域としての機能を有するＲＡＭ（Random Access Memory）等のメモリや、各種動作プログラムをフラッシュメモリから読み出して実行するＣＰＵ等を備えている。
【００３２】
制御ユニット１００は、フラッシュメモリやＲＡＭ等のメモリによって機器設定記憶部２０として機能し、また、フラッシュメモリに記憶された動作プログラムがＣＰＵによって実行されることにより、機器検索部３１と、機器設定送信要求部３２と、送信要求受信部４１と、機器設定送信部４２と、機器設定受信部３３と、機器設定制御部３４と、制御部５０として機能する。
【００３３】
機器設定記憶部２０は、当該複合機１における各種機器設定を記憶する。
【００３４】
例えば、図３に示すように、ネットワークに接続されている、識別情報「ＰＲＴ１」で識別される複合機１は、各種機器設定Ｄ１を機器設定記憶部２０に記憶し、識別情報「ＰＲＴ２」で識別される複合機１は、各種機器設定Ｄ２を機器設定記憶部２０に記憶し、識別情報「ＰＲＴ３」で識別される複合機１は、各種機器設定Ｄ３を機器設定記憶部２０に記憶している。尚、機器設定とは、各設定項目と当該各設定項目に対する設定値の組み合わせを示し、各種機器設定とは、機器設定の集合を示している。
【００３５】
各種機器設定Ｄ１〜Ｄ３は、複合機１の機種や、例えば複合機１を所有する部署、複合機１が設定される場所、及び管理者等の複合機１の使用環境や、複合機１で実行可能な各種機能で共通して利用するシステム情報等の複合機１の機器全体に関わる各種機器設定と、コピー機能やＦＡＸ通信機能等の複合機１で実行可能な機能毎に当該機能全般に関わる各種機器設定と機能を動作させる際の実行条件を示す各種機器設定と、を備えて構成されている。
【００３６】
尚、図３において、設定値に「−」が設定されている設定項目の機器設定は、機器設定記憶部２０には記憶されておらず、当該機器設定を設定不可能であることを示している。例えば、識別情報「ＰＲＴ２」で識別される複合機１と識別情報「ＰＲＴ３」で識別される複合機１は、機種の各種機種設定のうちの設定項目「レベル」の機種設定の設定値が「Ｌｏｗ」に設定されていることが示すように、実行可能な機能数が少ない機種であってＦＡＸ通信機能を備えておらず、ＦＡＸ通信機能の各種機器設定を設定不可能であるため、各種機器設定Ｄ２、Ｄ３におけるＦＡＸ通信機能に関わる各種機器設定が「−」と示されている。
【００３７】
また、図３において、設定値に「未」が設定されている設定項目の機器設定は、当該機器設定を設定可能ではあるが、未だ何ら設定値が設定されていないことを示している。例えば、識別情報「ＰＲＴ３」で識別される複合機１における各種機器設定Ｄ３のうち、種別「システム」と種別「コピー」の各種機器設定は、未だ何ら設定値が設定されていないことを示している。尚、各複合機１における機器設定記憶部２０に記憶されている各種機器設定の構成を、図３に示す構成に限定する趣旨ではない。
【００３８】
機器検索部３１は、ネットワークに接続されている複合機１のうち、当該複合機１の機器設定記憶部２０に記憶されている機種及び使用環境を示す各種機器設定に適合する各種機器設定を機器設定記憶部２０に記憶している当該複合機１とは異なる他の複合機１を検索する。
【００３９】
具体的には、例えば、機器検索部３１は、当該複合機１の機器設定記憶部２０に記憶されている機種及び使用環境を示す各種機器設定をネットワークに接続されている当該複合機１とは異なる他の複合機１に送信し、当該他の複合機１は当該受信した機種及び使用環境の各種機器設定と適合する機種及び使用環境の各種機器設定が機器設定記憶部２０に記憶されている場合に、当該他の複合機１の識別情報を返信するようにして構成することができる。
【００４０】
又は、ネットワークに接続されている各複合機１に対応付けて各複合機１の機種及び使用環境の各種機能設定を一括して記憶する環境情報記憶部がネットワークに接続されている何れかの機器に備えられ、機器検索部３１は、当該環境情報記憶部に記憶されている当該複合機１の機器設定記憶部２０に記憶されている機種及び使用環境の各種機器設定に適合する各種機器設定に対応付けられた複合機１を検索するようにして構成することができる。ただし、機器検索部３１の具体的な構成は、上記の２つの構成の何れかに限定する趣旨ではない。
【００４１】
機器設定送信要求部３２は、機器検索部３１で検索された他の各複合機１に対して当該他の各複合機１の機器設定記憶部２０に記憶されている、当該他の各複合機１における各種機器設定の送信を要求することを示す送信要求データを当該他の各複合機１に送信する。
【００４２】
送信要求受信部４１は、他の複合機１の機器設定送信要求部３２から送信要求データを受信する。
【００４３】
機器設定送信部４２は、送信要求受信部４１によって送信要求データが受信されると、機器設定記憶部２０に記憶されている各種機器設定を、当該送信要求データの送信元の複合機１に送信する。
【００４４】
機器設定受信部３３は、機器設定送信部４２から送信された各種機器設定を受信する。
【００４５】
機器設定制御部３４は、機器設定受信部３３で受信された各種機器設定を当該画像形成装置における機器設定記憶部２０に記憶する。また、機器設定制御部３４は、操作部１８０によって入力された各種機器設定も受け付け、当該受け付けた各種機器設定を機器設定記憶部２０に記憶する。
【００４６】
制御部５０は、複合機１全体の動作制御を司るものであり、操作部１８０によって入力された各種機能の実行指示を受け付け、機器設定記憶部２０に記憶された各種機器設定に従って当該受け付けた実行指示が示す機能を動作させる。
【００４７】
次に、他の複合機１から各種機器設定を取得して機器設定記憶部２０に記憶する動作について図３及び図４を用いて説明する。尚、具体例として、識別情報「ＰＲＴ３」で識別される複合機１が他の複合機１から各種機器設定を取得して機器設定記憶部２０に記憶する動作を説明する。
【００４８】
先ず、識別情報「ＰＲＴ３」で識別される複合機１において、機器設定制御部３４は、操作部１８０によって入力された機種及び使用環境の各種機器設定を受け付けると、当該受け付けた機種及び使用環境の各種機器設定を機器設定記憶部２０に記憶する（ＳＲ１）。
【００４９】
そして、例えば当該複合機１をネットワークに初めて接続する場合等の所定の時期に、操作部１８０によって入力された、当該複合機１の機種及び使用環境とは異なる他の各種機能設定を記憶する実行指示（セットアップ指示）が制御部５０によって受け付けられると（ＳＲ２）、機器検索部３１は、ネットワークに接続されている複合機１のうち、当該複合機１の機器設定記憶部２０に記憶されている機種及び使用環境を示す各種機器設定に適合する各種機器設定を機器設定記憶部２０に記憶している当該複合機１とは異なる他の複合機１を検索する（ＳＲ３）。
【００５０】
具体的には、識別情報「ＰＲＴ３」で識別される複合機１の機種の各種機器設定（図中の設定項目「型番」の機器設定、設定項目「レベル」の機器設定）及び使用環境の各種機器設定（図中の設定項目「部署」の機器設定、設定項目「設置場所」の機器設定、及び設定項目「管理者」の機器設定）に一致する各種機器設定を機器設定記憶部２０に記憶している識別情報「ＰＲＴ２」で識別される複合機１が検索される。
【００５１】
ただし、これに限らず、識別情報「ＰＲＴ３」で識別される複合機１の機種及び使用環境の各種機器設定の全てが一致しなくても、識別情報「ＰＲＴ３」で識別される複合機１の機種及び使用環境の各種機器設定のうちの一部の各種機器設定（例えば、図中の設定項目「型番」の機器設定と設定項目「部署」の機器設定）に一致する各種機器設定を機器設定記憶部２０に記憶している識別情報「ＰＲＴ２」及び「ＰＲＴ３」で識別される複合機１が検索されてもよい。
【００５２】
つまり、当該複合機１の機器設定記憶部２０に記憶されている機種及び使用環境を示す各種機器設定の全てのうちの一部の各種機器設定に一致する各種機器設定を機器設定記憶部２０に記憶している当該複合機１とは異なる他の複合機１が、当該複合機１の機器設定記憶部２０に記憶されている機種及び使用環境を示す各種機器設定に適合する各種機器設定を機器設定記憶部２０に記憶している当該複合機１とは異なる他の複合機１であるものとして検索されてもよい。
【００５３】
尚、ここで一部の各種機器設定は、当該一部に含める各種機器設定の設定項目を個別に指定することで定めてもよいし（例えば、図中の設定項目「型番」の機器設定と設定項目「部署」の機器設定とを一部の各種機器設定として定める）、当該一部を示す各種機器設定の数のみを定めてもよい（例えば、機種及び使用環境を示す各種機器設定の全てのうちの２つの機器設定）。
【００５４】
次に、機器設定送信要求部３２は、ステップＳＲ３で検索された識別情報「ＰＲＴ２」で識別される複合機１に対して、機器設定記憶部２０に記憶されている識別情報「ＰＲＴ２」で識別される複合機１における各種機器設定を識別情報「ＰＲＴ３」で識別される複合機１に送信することを要求する送信要求データを送信する（ＳＲ４）。
【００５５】
そして、識別情報「ＰＲＴ２」で識別される複合機１において、識別情報「ＰＲＴ３」で識別される複合機１の機器設定送信要求部３２から送信された上記の送信要求データが送信要求受信部４１によって受信されると（ＳＳ１）、機器設定送信部４２は、機器設定記憶部２０に記憶されている識別情報「ＰＲＴ２」で識別される複合機１における各種機器設定を、当該送信要求データの送信元の識別情報「ＰＲＴ３」で識別される複合機１に送信する（ＳＳ２）。
【００５６】
そして、識別情報「ＰＲＴ３」で識別される複合機１において、識別情報「ＰＲＴ２」で識別される複合機１の機器設定送信部４２から送信された識別情報「ＰＲＴ２」で識別される複合機１の各種機器設定が機器設定受信部３３で受信されると（ＳＲ５）、機器設定制御部３４は、機器設定受信部３３で受信された各種機器設定を識別情報「ＰＲＴ３」で識別される複合機１における機器設定記憶部２０に記憶する（ＳＲ６）。
【００５７】
具体的には、識別情報「ＰＲＴ２」で識別される複合機１の種別「システム」の各種機器設定（図中の設定項目「日付」の機器設定、設定項目「時刻」の機器設定、設定項目「省エネタイマー」の機器設定、設定項目「言語」の機器設定、及び設定項目「初期起動機能」の機器設定）及び種別「コピー」の各種機器設定（図中の設定項目「出力用紙サイズ」の機器設定や設定項目「初期カセット」の機器設定等の種別「全般」の各種機器設定、及び、設定項目「部数」の機器設定や設定項目「用紙サイズ」の機器設定等の種別「実効条件」の各種機器設定）が、識別情報「ＰＲＴ３」で識別される複合機１における各種機器設定として機器設定記憶部２０に記憶される。
【００５８】
このように、識別情報「ＰＲＴ３」で識別される複合機１の各種機能設定を操作部１８０によって個別に入力して機器設定記憶部２０に記憶する手間をかけることなく、当該識別情報「ＰＲＴ３」で識別される複合機１の機種及び使用環境の各種機器設定と機種及び使用環境の各種機器設定が適合する識別情報「ＰＲＴ２」で識別される複合機１から、当該識別情報「ＰＲＴ３」で識別される複合機１の機種及び使用環境に適した各種機器設定を効率よく取得して記憶することができる。
【００５９】
尚、図５の点線部に示すように、制御ユニット１００は、送信許否受付部４３と、送信制御部４４と、を更に備えて構成してもよい。
【００６０】
送信許否受付部４３は、他の複合機１の機器設定送信要求部３２から送信された送信要求データが送信要求受信部４１によって受信されると、機器設定送信部４２による機器設定記憶部２０に記憶されている各種機器設定の送信前に、例えば、当該送信を許可するか否かをユーザが指定するための操作画面を表示部１５０に表示して、ユーザから操作部１８０によって当該操作画面に入力された送信を許可するか否かの指定を受け付ける。
【００６１】
尚、送信許否受付部４３が各種機器設定の送信を許可するか否かの指定を受け付けるための構成は、上記の構成に限定する趣旨ではなく、例えば、機器設定記憶部２０に機器設定として記憶された管理者のメールアドレス宛に、ネットワークＩ／Ｆ１６０を介して当該送信を許可するか否かを判断するメールを送信し、当該メールを受信した管理者が当該送信を許可すると判断した場合に、当該複合機１の設置場所に出向いて当該送信を許可する指定を操作部１８０によって入力し、当該入力された指定を送信許否受付部４３が受け付ける等の構成であってもよい。
【００６２】
送信制御部４４は、送信許否受付部４３によって送信の許可が受け付けられると、機器設定送信部４２に各種機器設定を送信させ、送信許否受付部４３によって送信の許可が受け付けられないときは、機器設定送信部４２に各種機器設定を送信させない。
【００６３】
本構成の場合に、他の複合機１から各種機器設定を取得して機器設定記憶部２０に記憶する動作について、図３及び図６を用いて説明する。尚、上記と同様に、具体例として、識別情報「ＰＲＴ３」で識別される複合機１が識別情報「ＰＲＴ２」で識別される複合機１から各種機器設定を取得して機器設定記憶部２０に記憶する動作を説明する。また、図６において、図４と示す同一記号の各ステップは上記と同一の処理内容であるため、説明を省略する。
【００６４】
識別情報「ＰＲＴ２」で識別される複合機１において、識別情報「ＰＲＴ３」で識別される複合機１の機器設定送信要求部３２から送信された送信要求データが送信要求受信部４１によって受信されると（ＳＳ１）、機器設定送信部４２による機器設定記憶部２０に記憶されている各種機器設定の送信を許可するか否かのユーザからの指定が送信許否受付部４３によって受け付けられるまで待機する（ＳＳ３）。
【００６５】
そして、送信制御部４４は、送信許否受付部４３によって各種機器設定の送信を許可する指定が受け付けられると（ＳＳ３；許可）、機器設定送信部４２にステップＳＳ２を実行させる。一方、送信制御部４４は、送信許否受付部４３によって各種機器設定の送信を拒否する指定が受け付けられると（ＳＳ３；許否）、機器設定送信部４２にステップＳＳ２を実行させることなく処理を終了する。
【００６６】
つまり、本構成によれば、識別情報「ＰＲＴ２」で識別される複合機１においては、当該識別情報「ＰＲＴ２」で識別される複合機１における各種機器設定を送信することを許可する指定が受け付けられない限り、機器設定送信部４２が各種機器設定を送信することはない。このため、各種機器設定が不用意に識別情報「ＰＲＴ３」で識別される複合機１に取得されることを回避することができる。
【００６７】
また、図５の一点鎖線部に示すように、制御ユニット１００は、設定条件受付部３５を更に備えて構成してもよい。
【００６８】
ここで、設定条件受付部３５は、例えば、複合機１における設定項目を指定するための操作画面を表示部１５０に表示して、操作部１８０によって当該操作画面に入力された設定項目の指定を受け付ける等して、機器設定記憶部２０に記憶する対象となる各種機器設定の設定項目の指定を受け付ける。
【００６９】
これに合わせて、機器設定制御部３４は、機器設定受信部３３で受信された各種機器設定であって、設定条件受付部３５で受け付けられた設定項目や、機器設定記憶部２０に記憶する対象となる各種機器設定の設定項目として予めＲＯＭに記憶されている設定項目等の予め定められた設定項目を示す各種機器設定のみを、当該画像形成装置における機器設定記憶部２０に記憶するように構成してもよい。
【００７０】
本構成の場合に、他の複合機１から各種機器設定を取得して機器設定記憶部２０に記憶する動作について、図３と、図４又は図６とを用いて説明する。尚、上記と同様に、具体例として、識別情報「ＰＲＴ３」で識別される複合機１が識別情報「ＰＲＴ２」で識別される複合機１から各種機器設定を取得して機器設定記憶部２０に記憶する動作を説明する。また、識別情報「ＰＲＴ３」で識別される複合機１のＲＯＭには、機器設定記憶部２０に記憶する対象となる各種機器設定の設定項目として、種別「システム」に関連する各種機器設定の設定項目が記憶されているものとする。
【００７１】
識別情報「ＰＲＴ３」で識別される複合機１において、設定条件受付部３５は、ステップＳＲ５の実行直後に、記憶対象の設定項目を指定するための操作画面を表示部１５０に表示し、操作部１８０による当該操作画面に入力された種別「コピー」に関連する各種機器設定の設定項目を記憶対象の設定項目とする指定を受け付ける。
【００７２】
そして、機器設定制御部３４は、ステップＳＲ６の実行時に、識別情報「ＰＲＴ２」で識別される複合機１から受信した各種機器設定のうち、設定条件受付部３５で受け付けられた記憶対象の設定項目である種別「コピー」に関連する各種機器設定の設定項目を示す各種機器設定と、予めＲＯＭに記憶されている記憶対象の設定項目である種別「システム」に関連する各種機器設定の設定項目を示す各種機器設定とを機器設定記憶部２０に記憶する。つまり、機器設定制御部３４は、予め記憶対象として定められた設定項目としての、種別「コピー」及び種別「システム」に関連する各種機器設定のみを機器設定記憶部２０に記憶する。
【００７３】
尚、設定条件受付部３５は、ステップＳＲ１の実行後であってステップＳＲ２の直前に、記憶対象の設定項目を指定するための操作画面を表示部１５０に表示して、当該操作画面に入力された記憶対象の設定項目の指定を受け付けた場合に、当該受け付けた記憶対象の設定項目を一旦ＲＡＭ等のメモリに記憶するように構成してもよい。
【００７４】
これに合わせて、機器設定制御部３４は、ステップＳＲ６の実行時に、メモリに記憶されている記憶対象の各設定項目を用いて、機器設定受信部３３で受信された各種機器設定のうち、設定条件受付部３５で受け付けられた記憶対象の設定項目を示す各種機器設定と、予めＲＯＭに記憶されている記憶対象の設定項目を示す各種機器設定とを、当該画像形成装置における機器設定記憶部２０に記憶するように構成してもよい。
【００７５】
本構成によれば、機器設定受信部３３で受信された機器設定であって、当該複合機１に記憶する機器設定を予め定められた設定項目に制限することができ、既存の全ての機器設定を無作為に更新して記憶することを回避することができる。
【００７６】
また、設定条件受付部３５は、例えば、各種機器設定における設定値の条件を指定するための操作画面を表示部１５０に表示して、ユーザから操作部１８０によって当該操作画面に入力された設定値の条件を受け付けるように構成してもよい。
【００７７】
これに合わせて、機器設定制御部３４は、機器検索部３１で検索された複合機１が複数存在する場合に、機器設定受信部３３で受信された複数の複合機１からの機器設定に含まれる各設定項目に対して複数存在する設定値のうち、設定条件受付部３５で受け付けられた設定値の条件に関連する設定値を、機器設定記憶部２０に記憶するように構成してもよい。
【００７８】
本構成の場合に、他の複合機１から各種機器設定を取得して機器設定記憶部２０に記憶する動作について、図４又は図６を用いて説明する。機器設定送信要求部３２は、ステップＳＲ４において、ステップＳＲ３で検索された複数の複合機１のそれぞれに対して、各複合機１における機器設定記憶部２０に記憶されている各種機器設定を送信することを要求する送信要求データを送信し、これに応じて、機器設定受信部３３は、ステップＳＲ５において、当該送信要求データの送信先の当該複数の複合機１から、各複合機１の各種機器設定を受信する。
【００７９】
以下では、具体例として、機器設定受信部３３によって、種別「システム」に関する各種機器設定のうちの設定項目「省エネタイマー」の機器設定が４台の複合機１から受信され、各機器設定における設定値がそれぞれ「５分」、「１５分」、「２５分」、「１０分」に設定されていた場合について説明する。
【００８０】
設定条件受付部３５は、ステップＳＲ５の実行直後、又は、ステップＳＲ１の実行後であってステップＳＲ２の直前に、各種機器設定における設定値の条件を指定するための操作画面を表示部１５０に表示して、ユーザから操作部１８０によって当該操作画面に入力された設定値の条件を受け付ける。
【００８１】
例えば、設定条件受付部３５によって、設定項目「省エネタイマー」の設定値に対する条件として、「設定値が最小値であるもの」という条件が受け付けられた場合は、機器設定制御部３４は、ステップＳＲ６の実行時に、４つの設定項目「省エネタイマー」の機器設定の設定値のうち、当該受け付けられた条件に一致する設定値が最小値「５分」の設定値を、設定項目「省エネタイマー」を示す機器設定の設定値として機器設定記憶部２０に記憶する。
【００８２】
また、種別「コピー」に関する各種設定項目のうちの設定項目「濃度」の設定値に対する条件として、「種別「システム」に関する各種設定項目のうちの設定項目「省エネタイマー」の設定値に依存させる」という条件が受け付けられた場合は、機器設定制御部３４は、ステップＳＲ６の実行時に、設定項目「省エネタイマー」の設定値が「５分」に設定された機器設定を送信した複合機１から送信された、種別「コピー」に関する各種設定項目のうちの設定項目「濃度」を示す機器設定の設定値を、種別「コピー」に関する各種設定項目のうちの設定項目「濃度」の設定値として機器設定記憶部２０に記憶する。
【００８３】
本構成によれば、複数の複合機１からの機器設定に含まれる各設定項目に対して複数存在する設定値のうち、ユーザによって入力された設定値の条件に関連する設定値を機器設定記憶部２０に記憶するため、ユーザの意図を加味した機器設定を反映することができる。
【００８４】
また、機器設定制御部３４は、機器設定受信部３３で受信された複数の複合機１からの機器設定に含まれる各設定項目に対して複数存在する設定値のうち、設定項目毎に予め定められた設定値の条件に適合する設定値を、機器設定記憶部２０に記憶するように構成してもよい。
【００８５】
本構成の場合に、他の複合機１から各種機器設定を取得して機器設定記憶部２０に記憶する動作について、図４又は図６とを用いて説明する。機器設定送信要求部３２は、ステップＳＲ４において、ステップＳＲ３で検索された複数の複合機１のそれぞれに対して、各複合機１における機器設定記憶部２０に記憶されている各種機器設定を送信することを要求する送信要求データを送信し、これに応じて、機器設定受信部３３は、ステップＳＲ５において、当該送信要求データの送信先の当該複数の複合機１から、各複合機１の各種機器設定を受信する。また、設定項目毎に予め定められた設定値の条件は、ＲＯＭ等のメモリに予め記憶されているものとする。
【００８６】
以下では、具体例として、機器設定受信部３３によって、種別「システム」に関する各種機器設定のうちの設定項目「省エネタイマー」の機器設定が５台の複合機１から受信され、各機器設定における設定値がそれぞれ「５分」、「１５分」、「２５分」、「１０分」、「５分」に設定されていた場合について説明する。
【００８７】
具体的には、機器設定制御部３４は、ステップＳＲ６において、設定項目「省エネタイマー」に対して予め定められた設定値の条件が「設定値が最大値であるもの」であった場合は、ステップＳＲ５において受信した、５つの設定項目「省エネタイマー」の機器設定の設定値のうち、設定値が最大値を示す「２５分」の設定値が設定された設定項目「省エネタイマー」の機器設定を機器設定記憶部２０に記憶する。
【００８８】
同様にして、機器設定制御部３４は、ステップＳＲ６において、設定項目「省エネタイマー」に対して予め定められた設定値の条件が「設定値が最小値であるもの」であった場合は、ステップＳＲ５において受信した、５つの設定項目「省エネタイマー」の機器設定の設定値のうち、設定値が最小値を示す「５分」の設定値が設定された設定項目「省エネタイマー」の機器設定を機器設定記憶部２０に記憶する。
【００８９】
また、機器設定制御部３４は、ステップＳＲ６において、設定項目「省エネタイマー」に対して予め定められた設定値の条件が「設定値が平均値であるもの」であった場合は、ステップＳＲ５において受信した、５つの設定項目「省エネタイマー」の機器設定の設定値の平均値を算出して、「１２分」の設定値が設定された設定項目「省エネタイマー」の機器設定を機器設定記憶部２０に記憶する。
【００９０】
また、機器設定制御部３４は、ステップＳＲ６において、設定項目「省エネタイマー」に対して予め定められた設定値の条件が「設定値が最も多くの数の複合機１に同一値が設定されている設定値であるもの」（いわゆる「多数決」）」であった場合は、ステップＳＲ５において受信した、５つの設定項目「省エネタイマー」の機器設定の設定値のうち、２つの複合機１に設定されている「５分」の設定値が設定された設定項目「省エネタイマー」の機器設定を機器設定記憶部２０に記憶する。
【００９１】
本構成によれば、複数の複合機１からの機器設定に含まれる各設定項目に対して複数存在する設定値の範囲内で設定値を制限して機器設定記憶部２０に記憶することができる。つまり、当該複数の複合機１の既存の機器設定を加味した機器設定を反映することができるとともに、無作為に既存の設定値を更新して記憶することを回避することができる。
【００９２】
尚、上記実施形態において、本発明に係る画像形成装置の一例として複合機を例に説明したが、本発明に係る画像形成装置は、これに限定する趣旨ではなく、プリンタ、コピー機、スキャナ、又はＦＡＸ等の画像形成装置であってもよい。
【００９３】
また、本発明は、上述の実施形態の構成に限られず種々の変形が可能である。前記図１乃至図６に示した構成及び処理は、本発明に係る実施形態の例示に過ぎず、本発明を前記実施形態に限定する趣旨ではない。
【符号の説明】
【００９４】
１    複合機（画像形成装置）
２０  機器設定記憶部
３１  機器検索部
３２  機器設定送信要求部
３３  機器設定受信部
３４  機器設定制御部
３５  設定条件受付部
４１  送信要求受信部
４２  機器設定送信部
４３  送信許否受付部
４４  送信制御部
５０  制御部
Ｄ１〜Ｄ３  各種機器設定
【図１】
2012158046.tif 000003
【図２】
2012158046.tif 000004
【図３】
2012158046.tif 000005
【図４】
2012158046.tif 000006
【図５】
2012158046.tif 000007
【図６】
2012158046.tif 000008